(57)【要約】  本発明は、引出しの底部（２）に、引出し（１）の前面パネル（５）に隣接して配設されたアダプタ（７）と、アダプタ（７）に固定された担持ホルダ（８）とを備える、引出し（１）用の接続デバイス（６）に関する。アダプタ（７）は、側面パネル（５）を支持するために設けられ、担持ホルダ（Ｓ）は、前面パネル（４）に固定された前面パネルキャリア（１９）を固定するために設けられる。担持ホルダ（８）は、単一のコンポーネントとしてプラスチック材料から作られ、形状適合されてアダプタ（７）に固定される。【選択図】  図１
2010502328.tif 000002
【特許請求の範囲】
【請求項１】
引出し（１）を有する接続デバイス（６）であって、底部（２）の領域に、引出し（１）の前面パネル（５）に隣接して設置され、側面パネル（５）を支持するために設けられたアダプタ（７）と、前記アダプタ（７）に固定され、前記前面パネル（４）上に固着された前面パネル支持体（１９）を固定するために設けられた支持保持具（８）と、を備える接続デバイスにおいて、
前記支持保持具（８）が、プラスチック製の一体構造として作られ、前記アダプタ（７）の形状に適合するように固定されることを特徴とする、接続デバイス。
【請求項２】
前記支持保持具（８）には、前記前面パネル（５）の方に向いた該支持保持具の下端部上に、傾斜面（１６ａ）および停止面（１６ｂ）を有するＴ字形のスロットナット（１６）の形態の結合部が装備され、前記支持保持具（８）が、走行レール（１７）の前端部に結合され得ることを特徴とする、請求項１に記載の接続デバイス。
【請求項３】
前記結合部（１６）が、前記走行レール（１７）の前端部上に固着されたプラグ（１８）に結合され得ることを特徴とする、請求項２に記載の接続デバイス。
【請求項４】
前記支持保持具（８）に、底部側に、前記走行レールの凹部（１７ａ）と係合し、前記結合部（１６）に対して窪んで設置されたボルトステップ（１０ａ）を有するばねボルト（１０）が装備されていることを特徴とする、請求項１〜３のいずれか一項に記載の接続デバイス。
【請求項５】
前記ばねボルト（１０）が、前記アダプタ（７）の凹部の縁部領域上に載置されたさらなるボルトステップ（１０ｂ）を有することを特徴とする、請求項４に記載の接続デバイス。
【請求項６】
前記支持保持具（８）には、曲げばね（１３）が設けられ、これにより、前記支持保持具（８）が、前記アダプタ（７）内に差し込み方向に対して交差して装填され、かつ最終的な差し込み位置において、前記アダプタ（７）の凹部の内縁部（１４ａ）上のキャッチ縁部（１４）と係合解除されることを特徴とする、請求項１〜５のいずれか一項に記載の接続デバイス。
【請求項７】
前記アダプタ（７）には、外側へ曲げられ、かつ差し込まれた前記支持保持具（８）を固定する舌状部（１５）が装備されることを特徴とする、請求項１〜６のいずれか一項に記載の接続デバイス。
【請求項８】
前記支持保持具（８）には、前記前面パネル支持体（１９）の垂直調節偏心盤（２０）の偏心ピン（２０ｂ）を収容するための、前記前面パネル（４）に向いて開口した長手スロット（２５）が装備され、前記長手スロットには、前記偏心ピン（２０）の直径に対して狭くされた入口領域（２５ａ）が設けられることを特徴とする、請求項１〜７のいずれか一項に記載の接続デバイス。
【請求項９】
前記支持保持具（８）には、プレート状のトグル（２４）の鍵状の締め付け偏心盤（２３）をさらに半径方向および軸方向に取り付けるために使用される、前記アダプタ（７）の鍵穴状の開口部（２６）に対向するベアリング穴（２７）が設けられることを特徴とする、請求項１〜８のいずれか一項に記載の接続デバイス。
【請求項１０】
前記アダプタ（７）は、全体がシートメタルの型打ち部品としての一個の部品として用いられることを特徴とする、請求項１〜９のいずれか一項に記載の接続デバイス。
【請求項１１】
前記支持保持具（８）が、前記長手方向に開口した前記アダプタ（７）の差し込みチャネル（９）内に部分的に差し込まれ、前記支持保持具（８）には、前記差し込みチャネル（９）の軸方向に開口したセクションが設けられることを特徴とする、請求項１〜１０のいずれか一項に記載の接続デバイス。
【請求項１２】
前記鍵状の締め付け偏心盤（２３）の自由端領域には、半径方向に跳ね返りのあるキャッチラグ（２３ｂ）が設けられ、前記鍵状の締め付け偏心盤（２３）が、このキャッチラグ（２３ｂ）によって軸方向に固定されることを特徴とする、請求項９に記載の接続デバイス。
【請求項１３】
前記プレート状のトグル（２４）が、少なくとも、前記垂直調節偏心盤（２０）を覆う据え付け位置において、キャッチ手段によって固定されることを特徴とする、請求項９または１２に記載の接続デバイス。
【請求項１４】
前記アダプタ（７）および側面パネル（５）の断面が、電気ケーブルや制御ラインなどのためのチャネルが、前記アダプタ（７）の上端領域と前記側面パネル（５）の上縁部との間に形成されるように、互いに適応されることを特徴とする、請求項１〜１３のいずれか一項に記載の接続デバイス。
【請求項１５】
前記半径方向に跳ね返りのあるキャッチラグ（２３ｂ）が、差し込み位置において、前記ベアリング穴（２７）の適切な形状の丸溝（２７ａ）と係合し、前記締め付けピン（２３）の意図しないねじりに対するねじりロックが形成されることを特徴とする、請求項１〜１４のいずれか一項に記載の接続デバイス。
【請求項１６】
鍵の先端部分のような前記締め付けピン（２３）の前記突出部（２３ａ）が、平坦な外面を有し、この平坦な外面が、前記締め付け位置に張力がかかった状態で、前記前面パネルから外方に向いた前記凹部（２２）の直線状の内縁部（２２ａ）を押圧することを特徴とする、請求項１〜１５のいずれか一項に記載の接続デバイス。
【発明の詳細な説明】
【技術分野】
【０００１】
本発明は、引出しの底部に、引出しの前面パネルに隣接して設置されたアダプタと、該アダプタに固定された支持保持具とを備え、該アダプタが、側面パネルを支持するように設けられ、該支持保持具が、前面パネル上に固着された前面パネル支持体を固定するように設けられた、引出しの接続デバイスに関する。
【背景技術】
【０００２】
上述したタイプの接続デバイスは、それ自体公知であり、一方では、側面パネルを支持するため、もう一方では、前面パネルを固定するために使用されることで、対応する接続デバイスが、少なくとも２つの機能を果たす。
【０００３】
しかしながら、引出しには、前述した機能以外にも、例えば、引出しと引出しガイドの走行レールとの間を接続する機能がさらに必要である。さらに、支持保持具に対して前面パネル支持体を垂直方向および水平方向に整列可能である必要があり、さらには、接続デバイスおよび接続デバイス上に支持された側面パネルに対して前面パネル支持体を締め付け固定可能でなければならない。
【０００４】
この点に関して公知の接続デバイスは、２つの前述した機能しかはたさず、および／または、さらなる機能を備えているかもしれないが、比較的複雑な多部品構造のものとなる可能性があるばかりでなく、接続デバイス全体の費用がかなりかさんでしまう。
【発明の概要】
【発明が解決しようとする課題】
【０００５】
以上のことから、本発明は、極めて単純かつコスト効率のよい構造で簡単かつ快適に組み立てられることができる、上記のような種類の接続デバイスを提供する目的に基づいたものである。
【課題を解決するための手段】
【０００６】
この目的を達成するために、本発明によれば、支持保持具は、プラスチック製の一体構造として作られ、アダプタの形状に適合するように固定される。
【０００７】
このように、接続デバイスは、本質的に、２つの安価で単純構造の部品、すなわち、アダプタおよび支持保持具を備え、アダプタおよび支持保持具は、プラグ接続のように形状適合するように互いに接続されてもよい。
【０００８】
このようにして、２つの部品が互いに対して相対運動しないように防止するためのさらなるコネクタまたは手段が不要となる。
【０００９】
支持保持具は、接続能力という意味でさらなる機能を果たすものであってもよいという点で、適切な設計実施により問題なく改良されてもよい。
【００１０】
このように、支持保持具は、前面パネルに対面した下端部に、傾斜面および停止面を有するＴ字形のスロットナットの形態の結合部が装備されてもよく、走行レールの前方端部に結合可能であってもよい。
【００１１】
結合部が、走行レールの前方端部に固着されたプラグに結合可能であれば、この目的に有益である。
【００１２】
このように、支持保持具は、引出しガイドの走行レールの前方領域を引出しに接続する機能を果たすものであってもよい。
【００１３】
さらに、支持保持具は、底部側に、走行レールの凹部と係合し、結合部に対して窪んだボルトステップを有するばねボルトが装備されてもよい。このようにして、走行レールに対して引出しの長手方向に相対変位しないさらなる安全策が、引出しの前方端部領域に生じる。
【００１４】
特に有益な実施形態によれば、ばねボルトは、アダプタのノッチの画成縁部を押圧するさらなるボルトステップを有する。このように、アダプタと支持保持部との間の相対移動が、引出し全体の少なくとも１つの変位方向に防止されてもよい。
【００１５】
本発明のさらなる特徴は、図面に示す例示的な実施形態の以下の記載から得られるさらなる下位クレームの主題である。
【図面の簡単な説明】
【００１６】
【図１】据え付け前の位置にある、本発明による接続デバイスが設けられた引出しの斜視図を示す。
【図２】本発明による接続デバイスのアダプタの斜視図を示す。
【図３】図２によるアダプタに差し込まれた支持保持具の斜視図を示す。
【図４】引出しの底部に固着された接続デバイスと、接続デバイスに接続可能な前面支持体の部分的斜視図を示す。
【図５】接続デバイスのアダプタの斜視図を示す。
【図６】引出しガイドの走行レールに結合する前の状態を示した、据え付け前の前面支持体を有する接続デバイスの斜視図を示す。
【図７】走行レールに接続デバイスを結合した後の、図６に対応する図を示す。
【図８】図４の線VIII−VIIIの高さの位置での接続デバイスの断面を示す。
【図９】締め付けピンが動作位置に設けられた図８に相当する断面を有する。
【図１０】トグルに一体成形された締め付けピンの斜視図を示す。
【発明を実施するための形態】
【００１７】
底部２、後壁３、前面パネル４、および２つの側面パネル５を有する引出しが、図１の参照番号１で概して特定されている。本発明の主題であり、以下、特に、図２〜図７を参照しながらさらに詳細に記載する接続デバイス６が、前面パネル４と対面する前方側に、側面パネル５の領域に設けられる。
【００１８】
簡潔にするために、以下の記載において、２つの側面パネル５の領域にある接続デバイス６が、機能的に互いに同一であるため、１つの接続デバイス６のみを常に参照する。
【００１９】
接続デバイスは、好ましくは、一体形のシートメタルの型打ち部品として与えられたアダプタ７と、好ましくは、一体形のプラスチック成形部品として作られた支持保持具８とを本質的に備える。
【００２０】
支持保持具８は、長手方向に開口した差し込みチャネル９（図５を参照）を有するアダプタ７内に差し込まれ、アダプタ７に対して固定される。
【００２１】
アダプタ７および支持保持具８は、コネクタなしの形状適合接続およびラッチがコンポーネント７および８の間に生じるように与えられる。
【００２２】
支持保持具８には、２つの曲げばね１３が設けられ、この曲げばね１３は、差し込みチャネル９の長手方向に交差して支持部８に装着され、これにより、支持部８のキャッチ縁部１４が、最終的に差し込み状態でアダプタ７のカットアウトの内側縁部１４ａを押圧する。
【００２３】
さらに、支持保持具８は、底縁部上に、２つのキャッチステップ１０ａおよび１０ｂを有するばねボルト１０が装備されている。ばねボルト１０のキャッチステップ１０ａは、走行レール１７の凹部１７ａ（図６を参照）と、据え付け状態において係合し、このようにして、走行レールと接続部６との間に変位ロックを生じる。キャッチステップ１０ｂは、アダプタ７のカットアウトの縁部領域の上部側に、据え付け状態において着座する（図９を参照）。
【００２４】
アダプタ７内の支持保持具８のさらなる固定が、アダプタ７から曲げられた舌状部１５によって形成されてもよく、舌状部１５は、アダプタ７の差し込みチャネル９内に支持保持具８を差し込んだ後、支持保持具８へ押圧される。
【００２５】
上記記載より、アダプタ７と支持保持具８との間の接続が、最終的に形状適合するため、ねじ、リベットなどのさらなる締結具が、いずれの場合でも不要であることが明らかである。
【００２６】
特に、図６および図７から分かるように、支持保持具８には、前方の下端部上に、Ｔ字形のスロットナット１６の形態の結合部が設けられ、この結合部は、支持保持具８上にさらに一体成形される。Ｔ字形のスロットナット１６の形態のこの結合部には、傾斜面１６ａおよび停止面１６ｂが装備され、この結合部は、引出しレール（詳細には図示せず）の走行レール１７の前端部上に固着された対応する形状のプラグ１８に結合されてもよい。このようにして、前方領域において、引出し１が支持レール１７に接続される。
【００２７】
他の形態において、プラグ１８にＴ字形のスロットナット１６の形態の結合部を設け、この結合部を収容するようにそれに応じて支持保持具８を設計することも考えられる。
【００２８】
上述したばねボルト１０の第１のキャッチステップ１０ａは、走行レール１７の凹部１７ａ（図６を参照）に、据え付け状態で係合することで、走行レールと接続部６との間に変位ロックを生じる。
【００２９】
特に、図１から分かるように、前面パネル４が、側面パネル５に対面する内面側上で、接続デバイス６に整列された２つの前面パネル支持体１９に接続される。
【００３０】
図４は、特定の前面パネル支持体１９が、矢印Ａの方向に支持保持具８に差し込まれ、固定されてもよいことを明確に示す。
【００３１】
前面パネル支持体には、前面パネル支持体１９に回転可能なように取り付けられたベースプレート２０ａと、ベースプレートに接続され、ベースプレートと一体に形成された偏心ピン２０ｂとを備える垂直調節偏心盤２０が装備される。さらに、側面調節ねじ２１が、前面パネル支持体にある前面パネル支持体１９の螺装穴に設けられ、最終的に、前面パネル支持体１９は、プレート状のトグル２４（図１を参照）の鍵状の締め付けピン２３によって貫通される通路２２も有する。
【００３２】
据え付け状態において、垂直調節偏心盤２０の偏心ピン２０ｂは、支持保持具８の、前面パネル４に向いて開口した長手スロット２５と係合し、長手スロット２５には、偏心ピン２０ｂの直径に対して狭くされた入口領域２５ａが設けられる。前面パネル支持体１９を支持保持具８に差し込むと、偏心ピン２０ｂにより、据え付け前位置に達するように、長手スロット２５の狭くされた入口領域２５ａがまず解消されなければならない。この目的に必要な力はわずかではあるが、一方で、この据え付け前位置において、意図せずには前面パネル４が再度、支持保持具８から外れないため、前面パネル４は、長手スロット２５の領域に偏心ピン２０ｂを入れた後に一時的に固定される。
【００３３】
この据え付け前位置において、前面パネル４の垂直および側面調節が、前面パネル４が、前面パネル保持具１９を固着させて最終的に固定される前に、垂直調節偏心盤２０および側面調節ねじ２１によって実行されてもよい。この固定は、鍵状の締め付けピン２３を用いて上述したプレート状のトグル２４によって、それ自体公知の方法で実行されてもよく、鍵状の締め付けピン２３は、単独で円筒状の自由端を使用しアダプタ７の鍵穴状の凹部２６を通って、支持保持具８のベアリング穴２７内に差し込まれてもよい。支持保持具８のこのさらなるベアリング穴２７によって、鍵状の締め付けピン２３の軸方向の取り付けが非常に良好なものとなる。
【００３４】
位置調整が完了した後、位置調整前では垂直調節偏心盤２０および側面調節ねじ２１へのアクセスが露出されている位置にあるトグル２４が、９０°旋回されることによって、一方では、垂直調節偏心盤２０および側面調節ねじ２１へのアクセスが覆われ、他方では、正面パネル支持体４が、矢印Ａの方向に側面パネル５の正面側にきつく固定される。
【００３５】
アダプタ７内または差し込みチャネル９内に差し込まれた支持保持具８の領域は、有益には、差し込みチャネル９の長手方向にチャネルタイプの貫通孔が設けられてもよいため、必要であれば、電気ケーブルまたは他の機能部品を、このチャネルに通してもよい。
【００３６】
上記から、アダプタ７と支持保持具８とを備える接続デバイス６が、この目的のためにさらなるコンポーネントを設けることなく、引出しの組み立ておよび引出しガイドへの接続中に必要な複数の機能をはたしてもよいことが明らかである。
【００３７】
このように、接続デバイスの多機能構造により、引出しの製造費の削減および組み立て時間の短縮が達成される。
【００３８】
図８〜図１０は、締め付けピン２３に、鍵の先端部分のような突出部２３ａが設けられているため、締め付けピン２３は、アダプタ７の鍵穴状の凹部２６に通して特定の位置に差し込まれるだけでよいことを示す。
【００３９】
さらに、上述の図は、締め付けピン２３の自由端に半径方向に跳ね返りのあるキャッチ舌状部２３ｂが設けられることで、締め付けピン２３を支持保持具８のベアリング穴２７内に差し込んだ後、締め付けピン２３が軸方向に固定されることを示す。図８に示すように、ベアリング穴２７には、小さな丸溝２７ａが設けられ、この丸溝を通って、締め付けピン２３が、鍵穴状の凹部２６に対して差し込み位置にあれば、締め付けピン２３のキャッチラグ２３ｂが障害なく案内されることができる。言い換えれば、この差し込み位置において、キャッチラグ２３ｂを含む締め付けピン２３は、問題なくベアリング穴２７内に差し込まれるだけでなく、解体するために必要となった場合は、ベアリング穴２７から再度引き抜かれてもよい。
【００４０】
半径方向に跳ね返りのあるキャッチラグ２３ｂが差し込み位置において丸溝２７ａと係合することで、締め付けピン２３、ひいては、トグル２４のねじりロックが、前述した差し込み位置にロックされる。言い換えれば、締め付けピン２３を差し込んだ後、トグル２４の意図しない旋回が効果的に防止される。
【００４１】
必要であれば、トグル２４は、垂直調節偏心盤２０および側面調節ねじ２１へのアクセスが覆われる位置に少なくとも何らかのラッチを有することで、トグル２４の意図しない旋回が防止されるように設計されてもよい
【００４２】
鍵の先端部分のような突出部２３ａには、平坦な外面が装備され、突出部２３ａは、締め付け位置に張力がかかった状態で、前面パネル４から外方に向いた直線状の内縁部２２ａ（図４を参照）を押圧する。締め付けピン２３の高効率のねじりロックは、この構造の実施形態だけでもすでに達成されるため、必要であれば、トグル２４のさらなるロック能力はなくてもよい。
【００４３】
凹部２２の直線状な内縁部２２ａに拡張部２３ａの平坦な外面を接触させることによって、前面パネルが本体に影響を及ぼすことで、広い領域に力が伝達するとともに、パネルとトグルとの間にキャッチ手段を設置する場合に考慮する必要があるパネルシートメタルの製造公差とは関係なく、トグル２４の位置ロックが非常に良好なものとなる。
【００４４】
アダプタ７および側面パネル３の断面は、制御ライン、電気ケーブルなどを差し込むための連続チャネルが、側面パネル３の上側端部領域に形成されるように設計されてもよい。
【図１】
2010502328.tif 000003
【図２】
2010502328.tif 000004
【図３】
2010502328.tif 000005
【図４】
2010502328.tif 000006
【図５】
2010502328.tif 000007
【図６】
2010502328.tif 000008
【図７】
2010502328.tif 000009
【図８】
2010502328.tif 000010
【図９】
2010502328.tif 000011
【図１０】
2010502328.tif 000012
【国際調査報告】
2010502328.tif 000013
2010502328.tif 000014
2010502328.tif 000015
2010502328.tif 000016
2010502328.tif 000017
2010502328.tif 000018
2010502328.tif 000019
2010502328.tif 000020
2010502328.tif 000021
2010502328.tif 000022